(57)【要約】【課題】  ３本以上の柱により囲まれた駐車用スペースを屋根付きのガレージとして使用しつつ、ユーザの要望により、後日屋根の上方にデッキを容易に取り付けることができるカーポートを提供すること。【解決手段】  互いに所要の間隔をおいて３本以上の柱１を立設し、これらの柱１により囲まれた地面上に駐車用スペース４を形成し、これらの柱１により囲まれた上部空間にデッキ取り付け用スペース２１を確保するとともに、前記駐車用スペース４の上方に、上下方向に回動または移動可能に屋根６を取り付け、この屋根６を上下方向への回動操作手段または移動操作手段に連結して構成した。【選択図】      図１
2005290703.tif 000002
【特許請求の範囲】
【請求項１】
互いに所要の間隔をおいて３本以上の柱（１）を立設し、これらの柱（１）により囲まれた地面上に駐車用スペース（４）を形成し、これらの柱（１）により囲まれた上部空間にデッキ取り付け用スペース（２１）を確保するとともに、前記駐車用スペース（４）の上方に、上下方向に回動または移動可能に屋根（６）を取り付け、この屋根（６）を上下方向への回動操作手段または移動操作手段に連結したことを特徴とするカーポート。
【請求項２】
前記駐車用スペース（４）における前側の左右のいずれか一方に、柱の無い車出入口（５）を設けたことを特徴とする請求項１記載のカーポート。
【請求項３】
互いに所要の間隔をおいて３本以上の固定の柱（３１ａ），（３１ｂ），…を立設し、これらの柱（３１ａ），（３１ｂ），…により囲まれた地面上に、左右方向に自動車複数台分の駐車用スペース（３４）を形成し、これらの柱（３１ａ），（３１ｂ），…により囲まれた上部空間にデッキ取り付け用スペース（４１）を確保するとともに、前記駐車用スペース（３４）の上方に、回動または移動可能に屋根（３５ａ），（３５ｂ）を取り付け、各屋根（３５ａ），（３５ｂ）を上下方向の回動操作手段または移動操作手段に連結したことを特徴とするカーポート。
【請求項４】
前記屋根の上方において、３本以上の柱により囲まれた上部空間に確保されたデッキ取り付け用スペースに、デッキを取り付け、前記駐車用スペースの傍らに、デッキに登り降りするための階段を取り付けたことを特徴とする請求項１または３記載のカーポート。
【請求項５】
前記階段を、デッキに登り降りする通常の使用状態と、使用不可状態とにセッティング可能に設置したことを特徴とする請求項４記載のカーポート。
【請求項６】
前記駐車用スペースの傍らに、デッキから滑り降りる滑り台（６３）を設置したことを特徴とする請求項４記載のカーポート。
【請求項７】
前記屋根の上方において、３本以上の柱により囲まれた上部空間に確保されたデッキ取り付け用スペースに、デッキを取り付け、このデッキに対する他の建物と、デッキとを出入口（９３）と、渡り廊下と、階段と、滑り台の少なくとも一つにより連絡したことを特徴とする請求項１または３記載のカーポート。
【請求項８】
前記デッキ上に、ブランコ（６４）等の遊具と、ハンモック（６５）と、ガーデニングスペースと、調理用ユニットと、手洗い（６６）と、物干し設備（６７）と、犬小屋と、ペット動物の飼育施設と、喫茶店やレストラン等の店舗と、売店と、給・排水設備と、給・配電設備と、オーニングと、蔓植物用棚のうちの、少なくとも一つを設置したことを特徴とする請求項４記載のカーポート。
【発明の詳細な説明】
【技術分野】
【０００１】
本発明は、カーポートに関する。
【背景技術】
【０００２】
この種カーポートの従来技術としては、例えば特開２００１−１２０９２号公報に記載された技術がある。
【０００３】
この特開２００１−１２０９２号公報に記載の技術では、地面上に立設された複数本の支柱を備えた架台を設置し、この架台の下部に駐車用スペースを確保し、架台の上部にウッドデッキを設置し、架台の傍らに、地面からウッドデッキに通じる階段を取り付けている。そして、前記ウッドデッキの内部上面を多目的に使用可能に構成している。
【特許文献１】特開２００１−１２０９２号公報
【発明の開示】
【発明が解決しようとする課題】
【０００４】
しかしながら、前記従来技術では架台上にウッドデッキを作り付けで設置している。しかして、ウッドデッキの床面を屋根兼用としている。
【０００５】
前記従来技術では、架台を構成している複数本の支柱により囲まれた駐車用スペースをガレージとして使用しつつ、ユーザの要望により、後日架台にデッキを取り付けるということについて配慮されていない。
【０００６】
また、従来技術では屋根を可動とし、掃除やメンテナンスを行い易くすることについても配慮されていない。
【０００７】
本発明は、上記の事情に鑑みなされたもので、その目的とするところは、３本以上の柱により囲まれた駐車用スペースを屋根付きのガレージとして使用しつつ、ユーザの要望により、後日屋根の上方にデッキを容易に取り付けることができ、また屋根の掃除やメンテナンスを容易に行うことができ、しかも屋根に落とした物を容易に拾うこともできるカーポートを提供することにある。
【０００８】
また、本発明の他の目的は、自動車の出し入れを安全にかつ容易に行い得るカーポートを提供することにある。
【０００９】
また、本発明の他の目的は、自動車複数台分の駐車用スペースを有するものであっても、屋根の掃除やメンテナンスを容易に行い得るカーポートを提供することにある。
【００１０】
また、本発明の他の目的は、屋上をレクリエーションやアウトドアスペースとして有効に利用し得るカーポートを提供することにある。
【００１１】
また、本発明の他の目的は、駐車用スペースの屋上に取り付けられたデッキと、住宅や倉庫等の他の建物との間を出入り可能なカーポートを提供することにある。
【００１２】
そして、本発明の他の目的は、泥棒や野宿者等が階段を使って屋上に容易には登り降りできないようにしたカーポートを提供することにある。
【００１３】
さらに、本発明の他の目的は、子供用の遊具の機能を付加したカーポートを提供することにある。
【００１４】
さらにまた、本発明の他の目的は、屋上を色々な用途に活用し得るカーポートを提供することにある。
【課題を解決するための手段】
【００１５】
前記目的を達成するため、本発明の請求項１記載の発明では、互いに所要の間隔をおいて３本以上の柱１を立設し、これらの柱１により囲まれた地面上に駐車用スペース４を形成し、これらの柱１により囲まれた上部空間にデッキ取り付け用スペース２１を確保するとともに、前記駐車用スペース４の上方に、上下方向に回動または移動可能に屋根６を取り付け、この屋根６を上下方向への回動操作手段または移動操作手段に連結している。
【００１６】
また、前記目的を達成するため、本発明の請求項２記載の発明では、前記駐車用スペース４における前側の左右のいずれか一方に、柱の無い車出入口５を設けている。
【００１７】
また、前記目的を達成するため、本発明の請求項３記載の発明では、互いに所要の間隔をおいて３本以上の固定の柱３１ａ，３１ｂ，…を立設し、これらの柱３１ａ，３１ｂ，…により囲まれた地面上に、左右方向に自動車複数台分の駐車用スペース３４を形成し、これらの柱３１ａ，３１ｂ，…により囲まれた上部空間にデッキ取り付け用スペース４１を確保するとともに、前記駐車用スペース３４の上方に、回動または移動可能に屋根３５ａ，３５ｂを取り付け、各屋根３５ａ，３５ｂを上下方向の回動操作手段または移動操作手段に連結している。
【００１８】
また、前記目的を達成するため、本発明の請求項４記載の発明では、前記屋根の上方において、３本以上の柱により囲まれた上部空間に確保されたデッキ取り付け用スペースに、デッキを取り付け、前記駐車用スペースの傍らに、デッキに登り降りするための階段を取り付けている。
【００１９】
そして、前記目的を達成するため、本発明の請求項５記載の発明では、前記階段を、デッキに登り降りする通常の使用状態と、使用不可状態とにセッティング可能に設置している。
【００２０】
また、前記目的を達成するため、本発明の請求項６記載の発明では、前記駐車用スペースの傍らに、デッキから滑り降りる滑り台６３を設置している。なお、前記滑り台６３と階段とを一つのユニットとして製作、設置しても良い。
【００２１】
さらに、前記目的を達成するため、本発明の請求項７記載の発明では、前記屋根の上方において、３本以上の柱により囲まれた上部空間に、デッキを取り付け、このデッキに対する他の建物と、デッキとを出入口９３と、渡り廊下と、階段と、滑り台の少なくとも一つにより連絡している。
【００２２】
さらにまた、前記目的を達成するため、本発明の請求項８記載の発明では、前記デッキ上に、ブランコ６４等の遊具と、ハンモック６５と、ガーデニングスペースと、調理用ユニットと、手洗い６６と、物干し設備６７と、犬小屋と、ペット動物の飼育施設と、喫茶店やレストラン等の店舗と、売店と、給・排水設備と、給・配電設備と、オーニングと、蔓植物用棚のうちの、少なくとも一つを設置している。
【発明の効果】
【００２３】
本発明の請求項１記載の発明によれば、３本以上の柱１により囲まれた上部空間にデッキ取り付け用スペース２１を確保しているので、これらの柱１により囲まれた駐車用スペース４を屋根付きのガレージとして使用しつつ、ユーザの要望により、後日屋根６の上方におけるデッキ取り付け用スペース２１にデッキ２２を容易に取り付けることができるという効果がある。
【００２４】
また、本発明の請求項１記載の発明によれば、屋根６をほぼ水平状にセッティングした使用状態から、屋根の回動操作手段または移動操作手段により、下方に回動または移動させることによって、屋根６の掃除やメンテナンスを容易に行うことができるし、屋根６上に落とした物を容易に拾うことができるという効果もある。
【００２５】
また、本発明の請求項２記載の発明では、駐車用スペース４における前側の左右のいずれか一方に、柱の無い車出入口５を設けているので、自動車の出し入れを安全にかつ容易に行い得る効果がある。
【００２６】
また、本発明の請求項３記載の発明によれば、自動車複数台分の駐車用スペース３４の屋上に、デッキ取り付け用スペース４１を確保しているので、前記駐車用スペース３４を屋根付きのガレージとして使用しつつ、ユーザの要望により、後日前記デッキ取り付け用スペース４１に広いデッキ４２を容易に取り付けて使用し得る効果がある。
【００２７】
さらに、本発明の請求項３記載の発明では、自動車複数台分の駐車用スペース３４の上方に取り付けられた屋根３５ａ，３５ｂをほぼ水平状にセッティングした使用状態から、屋根の回動操作手段または移動操作手段により、下方に回動または移動させることによって、屋根３５ａ，３５ｂの掃除やメンテナンスを容易に行うことができ、また屋根３５ａ，３５ｂ上に落とした物を容易に拾うことができるという効果もある。
【００２８】
また、本発明の請求項４記載の発明では、前記屋根の上方にデッキを取り付け、さらに駐車用スペースの傍らに階段を取り付け、この階段を使ってデッキに登り降りできるようにしているので、屋上としてのデッキをレクリエーションやアウトドアスペースとして有効に利用し得る効果がある。
【００２９】
そして、本発明の請求項５記載の発明では、前記階段を通常の使用状態と、使用不可状態とにセッティング可能に設けているので、夜間等において、屋上つまりデッキ上に登れないように階段をセッティングすることによって、泥棒や野宿者等がデッキに登り降りできないようになし得る効果がある。
【００３０】
また、本発明の請求項６記載の発明では、駐車用スペースの傍らに滑り台６３を設置し、デッキから滑り降り得るようにしているので、この滑り台６３を子供の遊具として使用できるという効果がある。
【００３１】
さらに、本発明の請求項７記載の発明では、デッキ取り付け用スペースに取り付けられたデッキと、このデッキに対する他の建物とを出入口９３と、渡り廊下と、階段と、滑り台の少なくとも一つにより連絡しているので、他の建物が例えば住宅の場合には、住宅とデッキ間を簡便に行き来できる外、デッキを避難場所として利用できるし、他の建物が例えば物置きや倉庫で、デッキ上に店舗を設置した場合には、物品を容易に搬入・搬出できるという効果がある。
【００３２】
さらにまた、本発明の請求項８記載の発明によれば、デッキ上にブランコ６４や滑り台等の遊具を設置した場合には、子供のレクリエーション等に利用できるし、デッキ上にハンモック６５を吊った場合には、休息や日光浴のために用いることができるし、デッキ上にガーデニングスペースを確保した場合には、ガーデニングを楽しむことができるし、デッキ上に調理用ユニットを設置した場合には、バーベキュー等を楽しむことができるし、デッキ上に遊具やガーデニングまたは調理用ユニットと共に手洗い６６を設置した場合には、手などを洗うことができるし、デッキ上に物干し設備６７を設置した場合には、日当たりや風通しの良い物干し場として有効に利用できるし、デッキ上に犬小屋やペット動物の飼育施設を設置した場合には、犬やペット動物を優れた居住環境の下で飼育し、または訓練することができるし、デッキ上に喫茶店やレストラン等の店舗や売店を設置した場合には、デッキ上をその下に駐車場を有する便利な販売場所として利用できるし、給・排水設備や給・配電設備，オーニングを設置した場合には、デッキの付加価値を高めることができるし、デッキ上に藤やキウイ等の蔓植物用棚を設置した場合には、デッキ上を優雅な庭園として、または果樹園として有効に利用し得る効果がある。
【発明を実施するための最良の形態】
【００３３】
以下、本発明の実施例を図面に基づいて説明する。
【実施例１】
【００３４】
図１〜図５は本発明カーポートの実施例１を示すもので、図１はその実施例１の概要を示す斜視図、図２は屋根を下方に向かって回動させる過程を示す斜視図、図３は屋根を垂下させた状態の斜視図、図４は側面図、図５は図１に対して異なる方向から見た骨組および屋根の回動操作手段におけるワイヤロープの取り回しを示す斜視図である。
【００３５】
これら図１〜図５に示す実施例１では、地面Ｇ上に所要の間隔をおいて、左側には３本の柱１が立設され、右側には２本の柱１が立設されている。前記５本の柱１のうちの、左側の３本の柱１には、地面Ｇから後述の屋根６の取り付け位置とほぼ等しい高さ位置ｈに、屋根取り付け用の梁２が掛け渡され、柱１に固定されている。また、前記５本の柱１における前後・左右に隣合う柱１の上端部には、それぞれ桁３が掛け渡され、柱１に結合されていて、カーポートの骨組が構築されている。
【００３６】
前記５本の柱１に囲まれた地面Ｇ上には、駐車用スペース４が形成されている。この駐車用スペース４には、この実施例１では右側の位置に、柱の無い車出入口５が設けられている。
【００３７】
前記梁２には、屋根６が取り付けられている。この屋根６は、梁２の位置に固定されたブラケット８と、屋根６の幅方向の一方の端部に設けられかつ前記ブラケット８に支承されたピン９とを有するヒンジ７を介して、上下方向に回動可能に取り付けられている。また、この屋根６は回動操作手段１０に連結されている。
【００３８】
なお、前記柱１、梁２および桁３には、主に木材を用いている。また、屋根６は主にポリカーボネイトで形成されている。
【００３９】
前記屋根の回動操作手段１０は、ハンドル１２を有しかつ左側の３本の柱１の真中の柱１に取り付けられた第１のウインチ１１と、同じくハンドル１４を有しかつ前記柱１に取り付けられた第２のウインチ１３と、前記第１のウインチ１１から繰り出された複数本の第１のワイヤロープ１５と、前記第２のウインチ１３から繰り出された第２のワイヤロープ１６とを備えている。前記第１のワイヤロープ１５は、第１のウインチ１１からまとめて繰り出され、左側の３本の柱のうちの真中の柱１の上端部に固定されたガイドリング１７に挿通され、このガイドリング１７の位置で分けられ、前記屋根６の自由端部の前側寄りの複数個所に設けられた止め輪１８に結合されている。前記第２のワイヤロープ１６は、第２のウインチ１３から繰り出され、選択された複数本の柱１に取り付けられた複数個の滑車１９に掛け渡され、前記屋根６の自由端部の後側に設けられた止め輪２０に結合されている。そして、この回動操作手段１０では屋根６をほぼ水平状にセッティングした状態から、第１，第２のウインチ１１，１３のハンドル１２，１４を操作し、第１，第２のワイヤロープ１５，１６を繰り出すことにより、図２および図５に矢印ａで示すように、屋根６を下方に向かって回動させ、反対に屋根６をほぼ垂直状に降ろした状態から、第１，第２のウインチ１１，１３のハンドル１２，１４を操作し、第１，第２のワイヤロープ１５，１６を巻き取ることによって、屋根６を上方に向かって回動させ、ストッパ（図示省略）に当接させてほぼ水平状の使用状態にセッティングし得るように構成されている。
【００４０】
前記複数本の柱１に囲まれた上部空間には、あらかじめデッキ取り付け用スペース２１が確保されている。
【００４１】
前述のごとく構成した本発明の実施例１のカーポートは、次のように使用され、作用する。
【００４２】
すなわち、屋根６を図１，図２および図４に示すごとく、ほぼ水平状の使用状態にセッティングし、車出入口５から駐車用スペース４に自動車を入れ、屋根付きのガレージとして使用する。
【００４３】
この実施例１では、駐車用スペース４における前側の左右いずれか一方としての右側に、柱の無い車出入口５を設けているので、自動車の出し入れを安全にかつ容易に行うことができる。
【００４４】
また、屋根６の上，下面を掃除するとき、または屋根６のメンテナンスを行うとき、あるいは屋根６に落とした物を拾うときは、回動操作手段１０の第１，第２のウインチ１１，１３のハンドル１２，１４を操作し、第１，第２のウインチ１１，１３から第１，第２のワイヤロープ１５，１６を繰り出し、屋根６を水平状態から、ヒンジ７を介して図２および図５に矢印ａで示すごとく下向きに回動させ、必要により図３および図５に示すように、屋根６を垂下させる。このようにすることによって、屋根６の掃除やメンテナンスを容易に行うことができるし、屋根６上に落とした物を容易に拾うことができる。
【００４５】
屋根６を再び通常の使用状態にセッティングするときは、回動操作手段１０の第１，第２のウインチ１１，１３のハンドル１２，１４を操作し、第１，第２のワイヤロープ１５，１６を巻き取り、屋根６を垂下状態から矢印ａの反対方向に回動させ、柱１の適正位置に設けたストッパ（図示省略）に当接させ、ほぼ水平状の使用状態にセッティングする。
【００４６】
さらに、ユーザの要望により、屋上に多目的に使用可能なデッキを取り付けるときは、この実施例１では５本の柱１で囲まれた上部空間に、あらかじめデッキ取り付け用スペース２１を確保しているので、このデッキ取り付け用スペース２１を利用して後日、デッキを容易に取り付けることができる。
【００４７】
なお、前記柱１、梁２および桁３は木材を用い、屋根６をポリカーボネイトにより形成するものに限らず、各部を軽金属や合成樹脂、またはこれらの複合材料等で形成しても良い。
【００４８】
また、屋根の回動操作手段１０を図４および図５に示す手動のウインチに代えて電動のウインチを用いても良い。さらには、ウインチに代えて流体圧シリンダを用いても良い。あるいは、屋根６を上下方向にほぼ平行移動し得るように取り付け、手動または流体圧を利用したジャッキ等の移動操作手段により、上下方向に移動させるようにしても良い。
【実施例２】
【００４９】
次に、図６〜図９は本発明の実施例２を示すもので、図６は斜視図、図７〜図９はそれぞれデッキの前後方向の長さを変えた場合を示す平面図である。
【００５０】
これら図６〜図９に示す実施例２のカーポートにおいて、前記実施例１と同じ構成部分および部材には同じ符号を付けて示し、これ以上の説明を省略する。
【００５１】
この実施例２では、複数本としての５本の柱１により囲まれた地面Ｇ上に形成された駐車用スペース４の傍らに、階段３０が取り付けられている。
【００５２】
一方、５本の柱１により囲まれかつあらかじめ駐車用スペース４の上方に確保されたデッキ取り付け用スペース２１には、デッキ２２が取り付けられている。このデッキ２２は、図６に示すように、床２３、隅柱２４、柵２５および笠木２６を組んで構築されている。前記床２３は、一方の側は５本の柱１における左側の３本の柱１にわたって取り付けられた梁２上に載置されかつ固定されており、他方の側は右側の２本の柱１に組み付けられている。
【００５３】
前記デッキ２２の床面積は、図７，図８および図９に示すように、デッキ２２の用途に合わせて色々な広さに形成することができ、車出入口５の左右両側に柱１を立設した場合には、６本の柱１により囲まれた上部空間の平面全体の広さに形成することもでき、カスタムメードも可能である。
【００５４】
前記デッキ２２には、この実施例２では後・右側に、踊り場２７が付設されている。この踊り場２７には、欄干２８が取り付けられている。
【００５５】
前記階段３０は、駐車用スペース４の傍らから、踊り場２７に通ずるように取り付けられている。
【００５６】
前記デッキ２２、踊り場２７および階段３０共、この実施例２では木材で作製されているが、必ずしも木材に限らず、金属や合成樹脂、またはこれらの複合材料等により作製しても良い。
【００５７】
この実施例２に示されるカーポートでは、階段３０から踊り場２７を経てデッキ２２に入り、デッキ２２を色々な用途に有効に利用することができる。
【実施例３】
【００５８】
次に、図１０は本発明の実施例３の一例を示す平面図、図１１は同じく実施例３の他の例を示す平面図である。
【００５９】
これら図１０および図１１に示す実施例３では、後側に２本の柱１が立設され、前側に１本の柱１が立設されていて、都合３本の柱１によりカーポートの躯体が形成されている。
【００６０】
そして、前記３本の柱１により囲まれた地面上には、図１０に示す例では柱の無い左側に車出入口５を有する駐車用スペース４が形成され、図１１に示す例では柱の無い右側に車出入口５を有する駐車用スペース４が形成されている。
【００６１】
前記駐車用スペース４の上方には、上下方向に回動または移動可能に屋根６が取り付けられている。この屋根６は回動操作手段または移動操作手段（いずれも図示省略）に連結されている。
【００６２】
前記３本の柱１により囲まれた上部空間である屋上には、あらかじめデッキ取り付け用スペース２１が確保されている。
【００６３】
前記デッキ取り付け用スペース２１には、カーポートの施工と同時または後日、デッキ（図示省略）が取り付けられるようになっている。そして、デッキには踊り場（図示省略）が付設される。
【００６４】
また、前記駐車用スペース４の傍らには階段（これも図示省略）が取り付けられ、この階段を使い、踊り場を経てデッキに出入りするようになっている。
【００６５】
この実施例３の他の構成，作用については、前記実施例１および２と同様である。
【実施例４】
【００６６】
ついで、図１２〜図１４は本発明の実施例４を示すもので、図１２は平面図、図１３は図１２の正面図、図１４は左右両側の屋根の合わせ端部の拡大図である。
【００６７】
これら図１２〜図１４に示す実施例４のカーポートでは、その図１２および図１３に示すように、地面Ｇ上の前後・左右に所要の間隔をおいて、４本の固定の柱（以下、「固定柱」という。）３１ａ〜３１ｄが立設されており、地面Ｇ上にはこれら４本の固定柱３１ａ〜３１ｄにより囲まれて、左右に自動車２台分の駐車用スペース３４が形成されている。
【００６８】
前記４本の固定柱３１ａ〜３１ｄのうちの、左側の２本の固定柱３１ａ，３１ｃ間には可動柱３２ａが設置され、右側の２本の固定柱３１ｂ，３１ｄ間には他の可動柱３２ｂが設置されている。これら２本の可動柱３２ａ，３２ｂは、前後方向に位置可動に設けられている。
【００６９】
前記左右方向に対向させて立設された固定柱３１ａ，３１ｂ間、および固定柱３１ｃ，３１ｄ間には、所要の高さｈをおいた位置に、それぞれ梁３３が掛け渡され、かつ固定されている。
【００７０】
前記左側に立設された固定柱３１ａ，３１ｃには、ヒンジ３６を介して上下方向に回動可能に屋根３５ａが取り付けられている。他方、右側に立設された固定柱３１ｂ，３１ｄには、ヒンジ３６を介して上下方向に回動可能に屋根３５ｂが取り付けられている。
【００７１】
前記可動柱３２ａ，３２ｂには、当該屋根の回動操作手段３７ａ，３７ｂが設けられている。各回動操作手段３７ａ，３７ｂは、前記実施例１における屋根の回動操作手段と同様、ウインチ（図示省略）と、ワイヤロープ３８とを備えて構成されている。前記ワイヤロープ３８の端部は、当該屋根３５ａ，３５ｂの自由端部に結合されていて、ウインチからワイヤロープ３８を繰り出すことによって、屋根３５ａ，３５ｂを通常の使用状態から下方に向かって回動させ、反対にウインチによりワイヤロープ３８を巻き取ることによって、屋根３５ａ，３５ｂを垂下状態から上方に向かって回動させ得るようになっている。
【００７２】
前記梁３３の長さ方向の中央の下部には、屋根３５ａ，３５ｂを適正な使用状態に規制するためのストッパ３９が設けられている。
【００７３】
前記屋根３５ａ，３５ｂの合わせ端部の下方には、図１４に示すように、雨受け用の樋４０が設けられている。この樋４０は、この実施例４では屋根３５ｂの下面に固着具により片持ち状に取り付けられている。
【００７４】
前記４本の固定柱３１ａ〜３１ｄにより囲まれた上部空間には、あらかじめデッキ取り付け用スペース４１が確保されている。このデッキ取り付け用スペース４１には、ユーザの要望により、カーポートの施工と同時に、または後日、デッキ４２を取り付け得るようになっている。
【００７５】
前記デッキ４２は、この実施例４では平面から見て、デッキ取り付け用スペース４１の全体の面のほぼ後側半分に取り付けられている。このデッキ４２の具体的な構造や材料は、前記実施例２のデッキと同様である。
【００７６】
なお、前記可動柱３２ａ，３２ｂはデッキ４２の前後方向の長さに対応させて、前後方向に移動させた後、適正位置に固定するようになっている。これにより、屋根の回動操作手段３７ａ，３７ｂが可動柱３２ａ，３２ｂと一緒に移動する。
【００７７】
前記デッキ４２の後・左側には踊り場４３が付設されている。この踊り場４３の構造，材料も前記実施例２の踊り場と同様である。
【００７８】
前記駐車用スペース３４の傍らとしての左側には、階段４４が取り付けられている。そして、この階段４４を利用して、地面Ｇから踊り場４３を経てデッキ４２に入るようになっている。この階段４４も、前記実施例２の階段と同様である。
【００７９】
前述したところからも分かるように、この実施例４のカーポートは、自動車を２台収容可能に構成されているほかは、構成，作用共、前記実施例１，２と同様である。
【００８０】
なお、この実施例４において、駐車用スペースは自動車２台分に限らず、３台以上駐車可能に形成しても良い。
【実施例５】
【００８１】
ついで、図１５〜図１７は本発明の実施例５を示すもので、図１５は平面図、図１６は正面図、図１７は屋根の回動操作手段を示す正面図である。
【００８２】
これら図１５〜図１７に示す実施例５において、前記実施例４と同じ部分および部材には同じ符号を付けて示し、それ以上の説明を省略する。なお、この実施例５では可動柱は不用のため、省略している。
【００８３】
この実施例５では、屋根３５ａ，３５ｂが梁３３の内側にほぼ納まる位置に取り付けられている。そして、前記屋根３５ａ，３５ｂは当該回動操作手段４５ａ，４５ｂに連結されている。
【００８４】
前記屋根の回動操作手段４５ａ，４５ｂは、ハンドル付きウインチ４６と、このウインチ４６により巻き上げ・繰り出されるワイヤロープ４７とを有している。前記ワイヤロープ４７の端部は、ウインチ４６から繰り出され、滑車４８を経て、当該屋根３５ａ，３５ｂの自由端部に固定された止め金具４９に結合されている。
【００８５】
したがって、屋根３５ａ，３５ｂを図１６および図１７に示す通常の使用状態から、必要により下方に向かって回動させるときは、ウインチ４６のハンドルを、ワイヤロープ４７を繰り出す方向に操作することにより、屋根３５ａ，３５ｂは図１７に矢印で示す方向に回動し、ほぼ垂直状態に下降させることができる。
【００８６】
なお、前記ウインチ４６は図１７に示す手動に限らず、電動のものを用いても良い。さらには、屋根３５ａ，３５ｂを上下方向に移動可能に取り付け、例えば手動または流体圧を利用したジャッキ等の移動操作手段に連結しても良い。
【００８７】
さらに、この実施例５では４本の固定柱３１ａ〜３１ｄにより囲まれた上部空間に確保されたデッキ取り付け用スペース４１に、全面にわたってデッキ４２が取り付けられている。
【００８８】
したがって、カーポートの屋上に取り付けられた広いデッキ４２をレクリエーションやアウトドアスペースとして、より一層有効に利用することができる。
【実施例６】
【００８９】
さらに、図１８〜図２０は本発明の実施例６を示すもので、図１８は階段を使用状態にセッティングした場合の斜視図、図１９は階段を使用状態から使用不可状態にセッティングする過程を示す斜視図、図２０は階段を使用不可状態にセッティングした場合の斜視図、図２１は階段を吊り上げた状態での固定手段の一例を示す斜視図である。
【００９０】
これら図１８〜図２１に示す本発明の実施例６において、前記実施例１，２に示すものと同じ部分および部材には同じ符号を付けて示し、これ以上の説明を省略する。
【００９１】
しかして、この実施例６では階段５３を通常の使用状態と、使用不可状態とにセッティング可能に構成されている。
【００９２】
すなわち、デッキ４２に付設された踊り場４３に通ずる空間には、側面から見てほぼＬ字型のサイドレール５１が固定されている。
【００９３】
前記サイドレール５１の前側には、階段５３を使用位置に制止するストッパ５２が固定されている。
【００９４】
前記階段５３の背面には、前記サイドレール５１に係合するガイドローラ（図示省略）が設けられている。また、この階段５３の前面の下・左右側と、上・左右側には、ワイヤロープ用のガイドリング６０が設けられている。
【００９５】
後・左側の柱１と桁３の上面にわたって、ほぼヘ字型の吊り金具５４が取り付けられている。この吊り金具５４には、吊り滑車５８が支持されている。
【００９６】
前記踊り場２７の後側には、支柱５５が立設されている。この支柱５５には、ハンドル付きのウインチ５６が取り付けられ、その上方に滑車５７が設けられている。
【００９７】
前記後・左側の柱１と、デッキ２２の笠木２６には、左右のほぼ同じ位置に、ワイヤロープ用のフック５９が固定されている。
【００９８】
前記ウインチ５６からは、２本一対のワイヤロープ６１が繰り出されている。このワイヤロープ６１は、前記滑車５７および吊り滑車５８に掛け渡され、ここで２本に振り分けられ、２個のフック５９により階段５３の幅に広げられ、階段５３の上・左右に設けられたガイドリング６０に挿通され、ワイヤロープ６１の端部は階段５３の下・左右に設けられたガイドリング６０に結合されている。
【００９９】
なお、前記階段５３は木製でも軽金属製でも、あるいは合成樹脂製でも良く、これらの複合材料で作製しても良い。
【０１００】
踊り場４３の出入口の両側の柱部材には、図２１に示すように、階段用の固定手段７５が配備されている。この固定手段７５は、前記柱部材や階段５３の内側に固定されたヒートン７６と、階段５３の内側と前記柱部材に掛け回すワイヤ７７と、このワイヤ７７の両端部に掛け止めるカラビナ７８とを備えている。
【０１０１】
そして、階段５３は通常の使用状態では図１８に示すように、下端部をストッパ５２に当接させて固定し、上端部をデッキ２２の踊り場２７に通ずるようにセッティングし、この階段５３を登り、踊り場２７を経てデッキ２２に入るようにする。
【０１０２】
この階段５３を使用不可状態、すなわちこの階段５３を渡ってデッキ２２に入れないようにする場合は、ウインチ５６のハンドルを操作し、ウインチ５６によりワイヤロープ６１を巻き取り、サイドレール５１に沿って階段５３を吊り上げ、踊り場２７の入口の位置で、図２０および図２１に示すように、ほぼ垂直に立て掛け、ついで図２１に示すように、階段５３の内側と、固定手段７５を形成しているヒートン７６に通してワイヤ７７を１周するように回し、カラビナ７８で結合して階段５３を固定し、フェンス代わりにして踊り場２７を閉鎖する。
【０１０３】
これにより、デッキ２２に泥棒や野宿者等の侵入を阻止することができる。
【実施例７】
【０１０４】
続いて、図２２〜図２４は本発明の実施例７を示すもので、図２２は折り畳み式階段の使用状態にセッティングした場合の斜視図、図２３は折り畳み式階段を使用状態から使用不可状態にセッティングする過程を示す斜視図、図２４は折り畳み式階段を使用不可状態にセッティングした場合の斜視図である。
【０１０５】
これらの図に示す実施例７において、前記実施例１，２に示すものと同じ部分および部材には同じ符号を付けて示し、これ以上の説明を省略する。
【０１０６】
ところで、この実施例７では駐車用スペース４の傍らに、折り畳み式階段８０を配備している。
【０１０７】
すなわち、前記折り畳み式階段８０は一半部８１と、他半部８２とがヒンジ８３により結合され、このヒンジ８３の部分で二つ折りに折り畳み得るように構成されている。
【０１０８】
前記折り畳み式階段８０の一半部８１における折り畳んだ状態での下端部は、踊り場２７の出入口の両側の柱部材にヒンジ８４を介して回動可能に取り付けられている。また、前記折り畳み式階段８０の一半部８１における折り畳んだ状態での上端部は、揚げ降ろし手段に連結されている。
【０１０９】
前記折り畳み式階段の揚げ降ろし手段は、ウインチ（図示省略）と、このウインチから繰り出されたワイヤロープ８５と、柱１の上部に取り付けられた滑車８６と、桁３の上面に取り付けられたガイドリング８７と、踊り場２７の出入口の両側の柱部材に取り付けられたフック８８と、折り畳み式階段８０の一半部における折り畳んだ状態での上端部に取り付けられた止め輪８９とを備えている。そして、この揚げ降ろし手段ではウインチから繰り出された２本のワイヤロープ８５を滑車８６に掛け渡し、ついでガイドリング８７に導き、このガイドリング８７の位置で２本に分け、１本ずつ当該フック８８に導き、両フック８８により折り畳み式階段８０の幅に広げ、各ワイヤロープ８５の端部を当該止め輪８９に結合している。
【０１１０】
前記折り畳み式階段８０の使用状態における前側には、ストッパ９０が固定されている。
【０１１１】
そして、前記折り畳み式階段８０は、引き降ろした使用状態では一半部８１と他半部８２とが図２２に示すように、一直線上に延びた状態で所定の角度にセッティングされ、ストッパ９０と踊り場２７間に掛け渡される。
【０１１２】
また、前記折り畳み式階段８０は揚げ降ろし手段のウインチを、ワイヤロープ８５を巻き取り側に操作すると、止め輪８９の個所で折り畳み式階段８０の一半部８１側が引き上げられ、ヒンジ８４を中心として上方に向かって回動すると同時に、図２３に示すように、ヒンジ８４の個所で折り畳み式階段８０の他半部８２が自重により折り畳まれて行き、最終的には折り畳み式階段８０は図２４に示すように、完全に二つ折りに折り畳まれた状態で吊り下げられ、使用不可状態にセッティングされる。
【０１１３】
したがって、この実施例７においても、折り畳み式階段８０を使用不可状態にセッティングすることによって、泥棒や野宿者等が階段を使ってデッキ２２に入れないようにすることができる。
【実施例８】
【０１１４】
続いて、図２５は本発明の実施例８を示す斜視図である。
【０１１５】
この図２５に示す実施例８では、駐車用スペース４の傍らにおいて地面Ｇ上と、デッキ２２に付設された踊り場２７間に、階段６２と滑り台６３とを一つのユニットにまとめて取り付けている。
【０１１６】
そして、子供が階段６２を渡って踊り場２７に登り、滑り台６３から滑り降りるようにし、カーポートに子供のレクリエーション機能を付加している。
【０１１７】
なお、前記階段６２と滑り台６３とを別体に作製して取り付けても良い。
【実施例９】
【０１１８】
さらに、図２６は本発明の実施例９を示す要部の斜視図である。
【０１１９】
この図２６に示す実施例９では、デッキ２２に対する他の建物としての住宅９１の２階のバルコニー９２と、デッキ２２とを出入口９３により連絡している。
【０１２０】
その結果、出入口９３を通じて住宅９１の２階のバルコニー９２とデッキ２２とを自由に行き来できるので、デッキ２２を簡便に使用できるし、住宅９１に火災等が発生した際に、デッキ２２を避難場所として利用することもできる。
【０１２１】
なお、この実施例９において、デッキ２２に対する他の建物と、デッキ２２とを渡り廊下により連絡しても良く、階段で連絡しても良く、さらには滑り台で連絡しても良く、階段と滑り台のユニットで連絡しても良い。
【０１２２】
そして、デッキ２２上に例えば店舗や売店を設置し、他の建物としての倉庫と、デッキ２２とを前述のごとき出入口と、渡り廊下と、階段と、滑り台との少なくとも一つにより連絡した場合には、倉庫とデッキ２２との間で、品物の搬入・搬出を簡便に行うことができる。
【実施例１０】
【０１２３】
次に、図２７は本発明の実施例１０を示す斜視図である。
【０１２４】
この図２７に示す実施例１０では、地面Ｇ上と踊り場２７間に、階段６２と滑り台６３のユニットを取り付けた外に、デッキ２２にブランコ６４を取り付けている。
【０１２５】
これによりカーポートに、より一層子供のレクリエーション機能を付加することができる。
【実施例１１】
【０１２６】
次に、図２８は本発明の実施例１１を示す斜視図である。
【０１２７】
この図２８に示す実施例１１では、地面Ｇ上と踊り場２７間に、階段６２と滑り台６３のユニットを取り付けた外に、デッキ２２にハンモック６５を吊り下げ支持している。
【０１２８】
しかして、このハンモック６５を使って、日光浴や休息に行ずることができる。
【実施例１２】
【０１２９】
ついで、図２９は本発明の実施例１２を示すもので、要部の斜視図である。
【０１３０】
この図２９に示す実施例１２では、デッキ２２に手洗い６６を設置している。この手洗い６６は、例えば駐車用スペース４側に設けられた蛇口（図示省略）にホースで接続されている。
【０１３１】
したがって、子供が滑り台６３やブランコ６４等の遊具を使って遊んだ後、またはデッキ２２にガーデニングスペースや調理用ユニット（いずれも図示省略）等を設置した場合に、手が汚れたとき、その手を水洗いすることができる。
【実施例１３】
【０１３２】
進んで、図３０は本発明の実施例１３を示す斜視図、図３１はこの実施例の要部である物干し設備の拡大斜視図である。
【０１３３】
これら図３０，図３１に示す実施例１３では、地面Ｇ上と踊り場２７間に、階段６２と滑り台６３のユニットを取り付けた外に、屋上に物干し設備６７を設置している。
【０１３４】
前記物干し設備６７は、左側の２本の柱１の上端部に固定されたスライドレール６８ａと、右側の２本の柱１の上端部に固定されたスライドレール６８ｂと、物干し用のアタッチメント７０ａ〜７０ｅと、物干し竿７４とを備えている。
【０１３５】
前記スライドレール６８ａ，６８ｂには、中央部に前後方向に長く、かつ上下方向に貫通させてスライド溝６９ａ，６９ｂが形成されている。
【０１３６】
前記アタッチメント７０ａ〜７０ｅは、それぞれフランジ７１と、ウエブ７２とを有し、正面から見てＴ字型に形成されている。また、各アタッチメント７０ａ〜７０ｅには、ウエブ７２の長さに応じて、１個または複数個の穴７３が設けられている。
【０１３７】
そして、この物干し設備６７ではスライドレール６８ａ，６８ｂに形成されたスライド溝６９ａ，６９ｂに、アタッチメント７０ａ〜７０ｅを選択的に装着し、そのアタッチメント（図３０，図３１ではアタッチメント７０ｃを選択して装着した場合を示しており、以下このアタッチメント７０ｃを例に説明する。）をスライドレール６８ａ，６８ｂにフランジ７１を介してスライド可能に吊り下げ、スライドレール６８ａ，６８ｂに装着された２個一対のアタッチメント７０ｃ，７０ｃに設けられた穴７３，７３に物干し竿７４を挿通し、その物干し竿７４に乾かすべき物（図示省略）を掛け止め、乾かすべき物がたくさんある場合は、乾かすべき物を掛け止めた物干し竿７４を、例えば図３１に矢印ｃで示すように、アタッチメント７０ｃ，７０ｃのフランジ７１，７１を介してスライドさせ、送り込んで次々に物干し竿７４に乾かすべき物を持たせて行う。
【０１３８】
なお、左右方向に対向させて吊り下げた２個一対のアタッチメント７０ｃ，７０ｃに設けられた穴７３，７３に、物干し竿７４に代えて物干し紐を掛け渡しても良い。
【０１３９】
このように、この実施例１３では屋上に物干し設備６７を設置しており、日光および風通しが良好なるため、乾かすべき物を短時間で乾かすことが可能である。
【０１４０】
また、周囲に柵２５を巡らせたデッキ２２を利用して物干し竿７４や物干し紐に、乾かす物を掛けたり、乾いた物を外したりすることができるので、これらの作業を安全に行うことができる。
【０１４１】
また、スライドレール６８ａ，６８ｂにアタッチメント７０ｃ，７０ｃを吊り下げ、両アタッチメント７０ｃ，７０ｃに物干し竿７４または物干し紐を掛け渡し、その物干し竿７４または物干し紐に乾かすべき物を持たせた後、アタッチメント７０ｃ，７０ｃをスライドレール６８ａ，６８ｂに沿って送り込み、前記作業を次々に行い得るので、乾かすべき物の取り付けを能率的に進めることができる。
【０１４２】
さらに、高さの異なるアタッチメント７０ａ〜７０ｅのうちから選択してスライドレール６８ａ，６８ｂに吊り下げるようにしているので、乾かすべき物の列に段差を付けることができ、したがって風通しを良くし、より一層短時間で乾かすことが可能である。
【０１４３】
［その他の実施例］
本発明の前記実施例２〜１３共、屋根を上下方向に回動させる型式のものに限らず、上下方向に平行に移動させる型式のものにも適用できること勿論である。
【０１４４】
また、デッキ２２上に前記ブランコ６４等の遊具やハンモック６５、ガーデニングスペース、調理用ユニット、手洗い６６、物干し設備６７を単独に設置する実施例に限らず、複数のものを組み合わせて設置し、デッキ２２を複合的に活用するようにしても良い。
【０１４５】
さらに、前記デッキ２２上に犬小屋やペット動物の飼育施設、喫茶店やレストラン等の店舗、売店等を設置してデッキ２２を商売上の場として利用することもできる。
【０１４６】
さらにまた、デッキ２２に給・排水設備、給・配電設備、オーニング、藤やキウイ等の蔓植物用棚を設置し、デッキ２２の付加価値をより一層高めても良く、前述の諸施設を組み合わせて設置し、住宅用に限らず、店舗やあらゆる生活の場として活用することができる。
【図面の簡単な説明】
【０１４７】
【図１】本発明の実施例１の概要を示す斜視図である。
【図２】本発明の実施例１において、屋根を下方に向かって回動させる過程を示す斜視図である。
【図３】本発明の実施例１において、屋根を垂下させた状態の斜視図である。
【図４】本発明の実施例１の側面図である。
【図５】図１に対して異なる方向から見た骨組および屋根の回動操作手段におけるワイヤロープの取り回しを示す斜視図である。
【図６】本発明の実施例２を示す斜視図である。
【図７】本発明の実施例２において、デッキの形状・面積の一例を示す平面図である。
【図８】本発明の実施例２において、デッキの形状・面積の他の例を示す平面図である。
【図９】本発明の実施例２において、デッキの形状・面積のさらに他の例を示す平面図である。
【図１０】本発明の実施例３における一例を示す平面図である。
【図１１】同実施例３における他の例を示す平面図である。
【図１２】本発明の実施例４を示す平面図である。
【図１３】図１２の正面図である。
【図１４】同実施例４における左右両側の屋根の合わせ端部の拡大図である。
【図１５】本発明の実施例５を示す平面図である。
【図１６】図１５の正面図である。
【図１７】同実施例５における屋根の回動操作手段を示す正面図である。
【図１８】本発明の実施例６を示すもので、階段を通常の使用状態にセッティングした場合の斜視図である。
【図１９】同実施例６において、階段を使用状態から使用不可状態にセッティングする過程を示す斜視図である。
【図２０】同実施例６において、階段を使用不可状態にセッティングした場合の斜視図である。
【図２１】同実施例６において、階段を吊り上げた状態での固定手段の一例を示す斜視図である。
【図２２】本発明の実施例７を示すもので、折り畳み式階段を使用状態にセッティングした場合の斜視図である。
【図２３】同実施例７において、折り畳み式階段を使用状態から使用不可状態にセッティングする過程を示す斜視図である。
【図２４】同実施例７において、折り畳み式階段を使用不可状態にセッティングした場合の斜視図である。
【図２５】本発明の実施例８を示す斜視図である。
【図２６】本発明の実施例９を示す要部の斜視図である。
【図２７】本発明の実施例１０を示す斜視図である。
【図２８】本発明の実施例１１を示す斜視図である。
【図２９】本発明の実施例１２を示す要部の斜視図である。
【図３０】本発明の実施例１３を示す斜視図である。
【図３１】同実施例１３において、要部である物干し設備の拡大斜視図である。
【符号の説明】
【０１４８】
１  柱
２  梁
４  駐車用スペース
５  車出入口
６  屋根
７  ヒンジ
１０  屋根の回動操作手段
１１，１３  第１，第２のウインチ
１５，１６  第１，第２のワイヤロープ
２１  デッキ取り付け用スペース
２２  デッキ
３０  階段
３１ａ〜３１ｄ  固定柱
３２ａ，３２ｂ  可動柱
３３  梁
３４  自動車２台分の駐車用スペース
３５ａ，３５ｂ  屋根
３６  ヒンジ
３７ａ，３７ｂ  屋根の回動操作手段
３８  ワイヤロープ
４１  デッキ取り付け用スペース
４２  デッキ
４４  階段
４５ａ，４５ｂ  屋根の回動操作手段
５１  階段用のサイドレール
５２  階段用のストッパ
５３  階段
５６  ウインチ
５７  滑車
５８  吊り滑車
６１  ワイヤロープ
６２  階段
６３  滑り台
６４  ブランコ
６５  ハンモック
６６  手洗い
６７  物干し設備
６８ａ，６８ｂ  アタッチメント用のスライドレール
６９ａ，６９ｂ  アタッチメント用のスライド溝
７０ａ〜７０ｅ  物干し用のアタッチメント
７３  アタッチメントに設けられた穴
７４  物干し竿
７５  階段の固定手段
８０  折り畳み式階段
８１  折り畳み式階段の一半部
８２  折り畳み式階段の他半部
８３，８４  ヒンジ
８５〜８９  折り畳み式階段の揚げ降ろし手段を構成している部材
９０  階段用のストッパ
９１  デッキに対する他の建物としての住宅
９２  同住宅のバルコニー
９３  同住宅とデッキとを連絡している出入口
【図１】
2005290703.tif 000003
【図２】
2005290703.tif 000004
【図３】
2005290703.tif 000005
【図４】
2005290703.tif 000006
【図５】
2005290703.tif 000007
【図６】
2005290703.tif 000008
【図７】
2005290703.tif 000009
【図８】
2005290703.tif 000010
【図９】
2005290703.tif 000011
【図１０】
2005290703.tif 000012
【図１１】
2005290703.tif 000013
【図１２】
2005290703.tif 000014
【図１３】
2005290703.tif 000015
【図１４】
2005290703.tif 000016
【図１５】
2005290703.tif 000017
【図１６】
2005290703.tif 000018
【図１７】
2005290703.tif 000019
【図１８】
2005290703.tif 000020
【図１９】
2005290703.tif 000021
【図２０】
2005290703.tif 000022
【図２１】
2005290703.tif 000023
【図２２】
2005290703.tif 000024
【図２３】
2005290703.tif 000025
【図２４】
2005290703.tif 000026
【図２５】
2005290703.tif 000027
【図２６】
2005290703.tif 000028
【図２７】
2005290703.tif 000029
【図２８】
2005290703.tif 000030
【図２９】
2005290703.tif 000031
【図３０】
2005290703.tif 000032
【図３１】
2005290703.tif 000033